(57)【要約】      （修正有）【課題】安価で且つ電気を使わず、一つの補聴器で多くの人に衛生的に使用できる補聴器を提供する。【解決手段】集声部２、拡声部４および両者を連結する音声伝達管３からなり、集声部２で集めた音声を、音声伝達管３を通して拡声部４で声を拡大して耳元に伝達する非接触型補聴器４である。拡声部４は、メガホン形状であり、音声伝達管３は、内面が平滑である管状の可撓性部材で形成され、内径が７ｍｍ以上、１５ｍｍ以下である。音声伝達管３の内径が細く、耳の穴に装着せずに音声を伝達するので、衛生的であり、一つの補聴器で多くの人に個別に伝達できる。【選択図】図１
0003194578.tif 000002
【実用新案登録請求の範囲】
【請求項１】
集声部、拡声部および両者を連結する音声伝達管からなり、集声部で集めた音声を、音声伝達管を通して拡声部で声を拡大して耳元に伝達する非接触型補聴器であって、
集声部は、筒状であって人の音声を集め人の口を覆うことができる程度の大きさの開口部から、該開口部とは反対側にあって音声伝達管に連結する基部に向かって徐々に断面積が小さくなり、
拡声部は、メガホン形状であって、音声伝達管に連結する基部から、該基部とは反対側にあって音声を外部に出す開口部に向かって徐々に断面積が大きくなり開口部は耳と同じ大きさか耳を覆う程度の大きさであり、
音声伝達管は、内面が平滑である管状の可撓性部材で形成され、内径が７ｍｍ以上、１５ｍｍ以下であることを特徴とする非接触型補聴器。
【考案の詳細な説明】
【技術分野】
【０００１】
本考案は、老人や音声を聞き取ることが困難な人のための補聴器に関し、さらに詳しくは耳の穴に装着せずに使用する非接触型補聴器に関する。
【背景技術】
【０００２】
一般に、老人や耳が聞こえにくい人などの聴覚障害者に対して補聴器が用いられている。この補聴器は、小型のマイクロフォンで捕らえた音を電気信号に変換し、この信号を電気的に増幅した後に、再度、音として再生され、耳の穴に装着して使用されている（たとえば、特許文献１）。この補聴器は、電気を使用するので、老人に対して入浴サービスをする際に会話ができにくいという問題、小型であるが比較的高価なことから購入が困難な問題などがある。
そのため、安価で電気を使用しない補聴器として、通気管の先端部に集音部を設けて、他の通気管に耳当部を設けた補聴器（たとえば、特許文献２、３）や、通気管を蛇腹状とした補聴器が提案されている（たとえば、特許文献４）。
【先行技術文献】
【特許文献】
【０００３】
【特許文献１】特開２０１２−３４６４８号公報
【特許文献２】特開平１１−３４１５９９号公報
【特許文献３】特開２０００−３５０２９７号公報
【特許文献４】実開昭６１−２７１９４号公報
【考案の概要】
【考案が解決しようとする課題】
【０００４】
しかしながら、これらの補聴器の耳当部を聴く人の耳の穴に挿入するため衛生的でなく、他の人がこれを自分の耳に挿入するのに抵抗を感じるという問題がある。また通気管が蛇腹状である場合にはどうしても管が太くなり話す人の吐息が聴く人の耳に届き不快感を受けるという問題があり、いずれの補聴器も衛生的でない。衛生的であり一つの補聴器で多くの人に使用できる器具が求められている。
本考案は、安価で且つ電気を使わず、一つの補聴器で多くの人に衛生的に使用できる補聴器を提供することにある。
【課題を解決するための手段】
【０００５】
本考案者らは、上記の課題に鑑み、鋭意研究の結果、耳当部を非接触型にして、細い音声伝達管を用いれば、一つの補聴器で多くの人に衛生的に使用できることを見出し、本考案を完成するに至った。
本考案は、集声部、拡声部および両者を連結する音声伝達管からなり、集声部で集めた音声を、音声伝達管を通して拡声部で声を拡大して耳元に伝達する非接触型補聴器であって、
集声部は、筒状であって人の音声を集め人の口を覆うことができる程度の大きさの開口部から、該開口部とは反対側にあって音声伝達管に連結する基部に向かって徐々に断面積が小さくなり、
拡声部は、メガホン形状であって、音声伝達管に連結する基部から、該基部とは反対側にあって音声を外部に出す開口部に向かって徐々に断面積が大きくなり開口部は耳と同じ大きさか耳を覆う程度の大きさであり、
音声伝達管は、内面が平滑である管状の可撓性部材で形成され、内径が７ｍｍ以上、１５ｍｍ以下であることを特徴とする非接触型補聴器である。
【考案の効果】
【０００６】
本考案によれば、
１．音声伝達管の内径が細く、耳の穴に装着せずに音声を伝達するので、衛生的であり、一つの補聴器で多くの人に個別に伝達できる。ここで非接触型とは拡声部を耳の穴に装着または挿入しないことを言う。耳の穴は雑菌がたまりやすく耳の穴に接触した器具は衛生的でなく、他の人がその器具を自分の耳の穴に挿入することに抵抗を感じる人がいる。また、音声伝達管の内径が１５ｍｍ以下の細い管であるので、話す人の吐息が聴く人の耳に届かず不快感を受けるということがない。本考案の補聴器は細い音声伝達管を用いる非接触型補聴器であるので、衛生的であり、上記の効果を奏することができる。
２．拡声部はメガホン形状であるので、声を拡大して耳元に伝えることができる。
３．電気を使わないので、入浴中でも使用できる。
４．持ち運びが容易で、簡単に誰でも使用できる。
５．安価に作製できる。
【図面の簡単な説明】
【０００７】
【図１】本発明に係る補聴器の一例を示す斜視図である。
【図２】補聴器の集声部を口の側で使用している状態を示す斜視図である。
【図３】補聴器の拡声部を耳の側で使用している状態を示す斜視図である。
【考案を実施するための形態】
【０００８】
以下、本考案の実施の形態につき、詳細に説明する。なお、本考案は、以下の実施の形態に限定されるものではない。本考案と同一および均等の範囲内において、以下の実施の形態に対して種々の変更を加えることが可能である。
図１は、本考案に係る補聴器の一例を示す斜視図である。補聴器１は、集声部２と、音声伝達管３と、拡声部４から形成される。
【０００９】
図１の補聴器において、集声部２は、筒状であって人の音声を集め人の口を覆うことができる程度の大きさの開口部５から、該開口部５とは反対側にあって音声伝達管３に連結する基部６に向かって徐々に断面積が小さくなっている。
この集声部２の形状は、音を集めることができる形状であれば、限定はされず、半球状或いはドーム状に限定されない。開口部５の端の形状も限定されないが、基部６からの距離が異なるような形状が好ましい。集声部２の開口部５の直径は、人間の口を十分に覆うことができる程度の大きさであればよく、たとえば５〜１０ｃｍ程度の大きさであるのが好ましい。集声部２の材質は、プラスチック等の比較的軽い材料が好ましく、塩化ビニル樹脂、ウレタン樹脂、ポリプロピレン樹脂などの汎用樹脂が使用できる。
【００１０】
図２は、補聴器の集声部を口の側で使用している状態を示す斜視図である。開口部５は人の口から離れた状態で使用している。このような話し方が話す人の息が少なくなるので好ましい。集声部２の開口部５の端は基部６からの距離が異なり、話す人の息が漏れて吐息が伝わりにくいので好ましい。
【００１１】
拡声部４は、メガホン形状であって、音声伝達管３に連結する基部７から、該基部７とは反対側にあって音声を外部に出す開口部８に向かって徐々に断面積が大きくなり開口部８は耳と同じ大きさか耳を覆う程度の大きさである。
拡声部４の開口部８の直径は、耳と同じ大きさか耳を覆う程度の大きさであれば限定でなく、たとえば４〜１０ｃｍである。拡声部４の材質も集声部２と同じでよく、プラスチック等の比較的軽い材料が好ましい。拡声部４はメガホン形状になっており、声は拡大されて耳元に伝わりよく聞こえる。
図３は、補聴器の拡声部を耳の側で使用している状態を示す斜視図である。拡声部４は聴く人の耳に当ててもよいが当てなくてもよい。声が拡大されて伝わるので当てなくてもよい。
【００１２】
上記の拡声部４と集声部２は、基部６、７を通して音声伝達管３により連結されている。それぞれの基部６、７は管状であり、音声伝達管３の管の両側に挿入されて連結される。音声伝達管３は、管状の可撓性部材で形成され、連結された拡声部４と集声部２を自在に動かすことができる。材質は柔軟な樹脂であれば特に限定はないが、ポリ塩化ビニル、ポリウレタン、ポリエチレン、シリコーン樹脂などのゴムが好ましい。管の内面は平滑であり、平滑であると音声がスムーズに伝わる。管の内面が平滑であるとは、見かけ上平滑であればよく、蛇腹状、凹凸状などの非平滑な表面でなければよい。内面の表面が平滑であると音声ロスが少なく伝えることができる。
【００１３】
音声伝達管３の内径は７ｍｍ以上、１５ｍｍ以下である。内径が７ｍｍ未満であると音声が伝わりにくく、１５ｍｍを超えると話す人の吐息が音声伝達管を通って聴く人の耳に届き聴く人が不快感を受ける。８ｍｍ以上、１０ｍｍ以下が好ましい。管を形成する樹脂の厚さは、０．５ｍｍ以上３ｍｍ以下が好ましい。長さは特に限定はないが、取り扱いやすさの点から、６０ｃｍ以上、１５０ｃｍ以下であるのが好ましく、７０ｃｍ以上、１００ｃｍ以下が特に好ましい。長さが６０ｃｍ以上であると、話す人の吐息が拡声部まで届かないので好ましい。長さが１５０ｃｍ以下であると取り扱いやすい。
【００１４】
本考案の非接触型補聴器は小さいので携帯が可能であるが、拡声部４と集声部２の形状を、柔軟な樹脂を用いて蛇腹状か折りたたみ状に形成すれば、非使用時にはコンパクトに収納することができ、さらに持ち運びに便利である。
【００１５】
本考案の非接触型補聴器においては、集声部で集めた音声を、音声伝達管を通して拡声部で声を拡大して聴く人の耳元に伝達する。これにより、電気を用いることなく、しかも簡易な構造の補聴器具で両者間のコミュニケーションを図ることができる。特に、電気を用いていないことから、たとえば老人の聴覚障害者の入浴サービス時にも用いることができ、介護・看護職員とのコミュニケーションを容易に図ることができる。
【符号の説明】
【００１６】
１  補聴器
２  集声部
３  音声伝達管
４  拡声部
５、８  開口部
６、７  基部
【図１】
0003194578.tif 000003
【図２】
0003194578.tif 000004
【図３】
0003194578.tif 000005